(57)【要約】【課題】電池監視装置を組電池に接続する際に生じる突入電流を好適に抑制することができる電池監視装置を提供することを目的とする。【解決手段】電池監視装置７０は、各電池セル１２において、正極側及び負極側の各接続線３０を接続する第１バイパス線４３に設けられた第１コンデンサ４５と、電池セル接続体１１ａにおいて、その正極端子１３に接続される前記接続線である正極接続線３０ａと、負極端子１４に接続される接続線である負極接続線３０ｂとを接続する経路である第２バイパス線４４に設けられた第２コンデンサ４６と、正極接続線３０ａのうちコネクタ２０側の端部から第２バイパス線４４との接続点までの経路である高電位側経路と、前記負極接続線のうち前記コネクタ側の端部から前記第２バイパス線との接続点までの経路である低電位側経路と、第２バイパス線４４と、の少なくともいずれかに設けられた抵抗素子６０と、を備える。【選択図】      図１
2020010562.tif 000002
【特許請求の範囲】
【請求項１】
複数の電池セル（１２）を直列接続して構成された電池セル接続体（１１ａ〜１１ｃ）に適用され、コネクタ（２０）により前記各電池セルの両端のそれぞれに接続線（１３）が接続され、前記接続線により前記電池セル毎のセル電圧を検出する電池監視装置（７０）であって、
前記各電池セルにおける正極側及び負極側の前記各接続線を接続する第１バイパス線（４３）に設けられた第１コンデンサ（４５）と、
前記電池セル接続体において、その正極端子に接続される前記接続線である正極接続線（３０ａ）と、負極端子に接続される前記接続線である負極接続線（３０ｂ）とを接続する経路である第２バイパス線（４４）に設けられた第２コンデンサ（４６）と、
前記正極接続線のうち前記コネクタ側の端部から前記第２バイパス線との接続点までの経路である高電位側経路と、前記負極接続線のうち前記コネクタ側の端部から前記第２バイパス線との接続点までの経路である低電位側経路と、前記第２バイパス線との少なくともいずれかに設けられた抵抗素子（６０）と、
を備える電池監視装置。
【請求項２】
前記抵抗素子は、前記高電位側経路、及び低電位側経路の少なくともいずれかに設けられている請求項１に記載の電池監視装置。
【請求項３】
前記第２バイパス線は、前記正極接続線において前記第１バイパス線との接続点よりも前記コネクタ側の位置と、前記負極接続線において前記第１バイパス線との接続点よりも前記コネクタ側の位置との間に接続されており、
前記抵抗素子である主抵抗素子（６０）に加えて、前記正極接続線において前記第１バイパス線との接続点と前記第２バイパス線との接続点との間の位置、及び前記負極接続線において、前記第１バイパス線との接続点と前記第２バイパス線との接続点との間の位置の少なくともいずれかに設けられた副抵抗素子（６１）を備える請求項２に記載の電池監視装置。
【請求項４】
前記主抵抗素子及び前記副抵抗素子は、前記高電位側経路及び前記低電位側経路のうち、前記高電位側経路に設けられている請求項３に記載の電池監視装置。
【請求項５】
前記第２バイパス線は、前記正極接続線において前記第１バイパス線との接続点よりも前記コネクタ側と反対側の位置と、前記負極接続線において前記第１コンデンサとの接続点よりも前記コネクタ側と反対側の位置との間に接続されており、
前記抵抗素子は、前記高電位側経路に設けられた第１抵抗素子（６２）と、前記低電位側経路に設けられた第２抵抗素子（６３）と備える請求項１に記載の電池監視装置。
【発明の詳細な説明】
【技術分野】
【０００１】
複数の電池セルを直列接続して構成される組電池を監視する電池監視装置に関する。
【背景技術】
【０００２】
組電池を監視する電池監視装置として、特許文献１に開示されたものが知られている。この電池監視装置は、組電池を構成する各電池セルの両端のそれぞれに接続線により接続されており、各接続線を通じて電池セルのセル電圧を検出する。電池監視装置は、検出したセル電圧に基づいて、各電池セルの状態等を監視している。
【０００３】
また、各接続線を接続する配線に、ノイズ除去用のコンデンサを設けた構成が知られている。具体的には、電池監視装置の各接続線をバイパスする配線上に、コンデンサが設けられている。
【先行技術文献】
【特許文献】
【０００４】
【特許文献１】特許第５５８５６１６号公報
【発明の概要】
【発明が解決しようとする課題】
【０００５】
電池監視装置が、ノイズ除去用のコンデンサを備えることにより、電池監視装置を、コネクタを介して組電池に接続する際に、接続線に突入電流が流れる場合がある。また、突入電流に起因して、接続線に高電圧が生じる場合があり、電池監視装置を劣化させる要因となる。このとき、コネクタが接続される際には、任意の順序で各接続線が導通されると考えられる。そこで、このような突入電流を抑制することを目的に、全ての接続線に抵抗素子を設けることが考えられる。しかし、全ての接続線に抵抗素子を設けることにより、接続線の抵抗値が大きくなり、接続線に流れる電流量が過剰に抑制されることが懸念される。例えば、接続線にヒューズを設ける場合では、そのヒューズが適正に機能しなくなることが懸念される。また、接続線に追加した抵抗素子の分だけ電池監視装置を構成する基板の体格が増大してしまうことも懸念される。
【０００６】
本発明は、上記課題に鑑みたものであり、電池監視装置を組電池に接続する際に生じる突入電流を好適に抑制することができる電池監視装置を提供することを目的とする。
【課題を解決するための手段】
【０００７】
上記課題を解決するために第１の発明では、複数の電池セルを直列接続して構成された電池セル接続体に適用され、コネクタにより前記各電池セルの両端のそれぞれに接続線が接続され、前記接続線により前記電池セル毎のセル電圧を検出する電池監視装置に関する。電池監視装置は、前記各電池セルにおける正極側及び負極側の前記各接続線を接続する第１バイパス線に設けられた第１コンデンサと、前記電池セル接続体においてその正極端子に接続される前記接続線である正極接続線と、負極端子に接続される前記接続線である負極接続線とを接続する経路である第２バイパス線に設けられた第２コンデンサと、前記正極接続線のうち前記コネクタ側の端部から前記第２バイパス線との接続点までの経路である高電位側経路と、前記負極接続線のうち前記コネクタ側の端部から前記第２バイパス線との接続点までの経路である低電位側経路と、前記第２バイパス線との少なくともいずれかに設けられた抵抗素子と、を備える。
【０００８】
上記構成では、電池セル毎の接続線間を接続する第１バイパス線上に第１コンデンサが設けられることにより、電池監視装置により検出される各セル電圧のノイズが抑制される。また、電池セル接続体において、正極接続線と負極接続線とを接続する第２バイパス線に第２コンデンサが設けられることにより、電池監視装置により検出される電池セル接続体の端子間電圧のノイズが抑制される。ここで、本発明者は、電池監視装置を、コネクタを介して電池セル接続体に接続する際に、各接続線の導通順序に応じて、第２コンデンサの端子間に印加される電圧が異なる値となり、ひいては突入電流の大きさが異なることに着目した。具体的には、正極接続線及び負極接続線が最初に導通することにより、正極接続線と負極接続線とを接続する第２バイパス線の第２コンデンサに電池セル接続体から最も大きな電圧が印加され、突入電流が最も大きくなる。
【０００９】
そこで、電池監視装置において正極接続線のうちコネクタ側の端部から第２バイパス線との接続点までの経路である高電位側経路と、負極接続線のうちコネクタ側の端部から第２バイパス線との接続点までの経路である低電位側経路と、第２バイパス線とのいずれかに抵抗素子を設ける構成とした。この場合、電池監視装置をコネクタにより電池セル接続体に接続する際に、最も大きな電圧が第２コンデンサに印加される場合でも、抵抗素子の電圧降下により第２コンデンサに印加される電圧が抑制され、突入電流の最大値を抑制することができる。また、高電位側経路と、低電位側経路と、第２バイパス線との少なくともいずれかにのみ抵抗素子を設けているため、全ての接続線に抵抗素子を設ける構成よりも、電池監視装置を構成する基板の体格の増大を抑制できる。その結果、電池監視装置を組電池に接続する際に生じる突入電流を好適に抑制することができる。
【００１０】
第２の発明では、前記抵抗素子は、前記高電位側経路及び低電位側経路の少なくともいずれかに設けられている。
【００１１】
抵抗素子を第２バイパス線に設けることにより抵抗素子と第２コンデンサとの直列回路が形成されると、抵抗素子の抵抗成分により、第２コンデンサのフィルタ性能が所望とする値とならない場合がある。この点、上記構成では、抵抗素子は高電位側経路及び低電位側経路の少なくともいずれかに設けられている。この場合、抵抗素子と第２コンデンサとにより直列回路が形成されることが防止されるため、第２コンデンサを適正に機能させることができる。
【００１２】
第３の発明では、前記第２バイパス線は、前記正極接続線において前記第１バイパス線との接続点よりも前記コネクタ側の位置と、前記負極接続線において前記第１バイパス線との接続点よりも前記コネクタ側の位置との間に接続されており、前記抵抗素子である主抵抗素子に加えて、前記正極接続線において前記第１バイパス線との接続点と前記第２バイパス線との接続点との間の位置、及び前記負極接続線において、前記第１バイパス線との接続点と前記第２バイパス線との接続点との間の位置の少なくともいずれかに設けられた副抵抗素子を備える。
【００１３】
上記構成の電池監視装置では、コネクタにより電池監視装置が電池セル接続体に接続される際に、電池セル接続体を構成する最も高電位の電池セルにおいて負極側に接続された接続線が最初に導通する場合がある。この場合、突入電流が、主抵抗素子を経由することなく接続線を流れる場合がある。具体的には、正極接続線において、第１バイパス線との接続点と第２バイパス線との接続点との間の位置、又は負極接続線において第１バイパス線との接続点と第２バイパス線との接続点との間の位置を経由して、突入電流が流れることが懸念される。例えば、電池セル接続体のうち、最も高電位の電池セルを除く他の電池セルからの電圧が第２バイパス線上の第２コンデンサに印加される場合、接続線には、最も大きな突入電流ではないが、次に大きな突入電流が流れる。そこで、正極接続線において第１バイパス線との接続点と第２バイパス線との接続点との間の位置、及び負極接続線において第１バイパス線との接続点と第２バイパス線との接続点との間の位置の少なくともいずれかに副抵抗素子が設けられている。この場合、各接続線のインピーダンスがばらつくことにより、電池監視装置を、コネクタを介して電池セル接続体に接続する毎に、突入電流が流れる経路が異なる場合でも、突入電流を好適に抑制することができる。
【００１４】
第４の発明では、前記主抵抗素子及び前記副抵抗素子は、前記高電位側経路及び前記低電位側経路のうち、前記高電位側経路に設けられている。
【００１５】
主抵抗素子と副抵抗素子とを、負極接続線に設けることにより、負極接続線の抵抗値が大きくなり、電池監視装置の負極接続線の電圧が意図した値とならない場合がある。この場合、負極接続線の電圧を基準電圧とすることにより検出されるセル電圧の値が適正に検出できないことが懸念される。そこで、本実施形態では、主抵抗素子及び副抵抗素子は、高電位側経路及び低電位側経路のうち、高電位側経路に設けられている。この場合、負極接続線の電圧が不安定になるのが防止され、セル電位を適正に検出することができる。
【００１６】
第５の発明では、前記第２バイパス線は、前記正極接続線において前記第１バイパス線との接続点よりも前記コネクタ側と反対側の位置と、前記負極接続線において前記第１コンデンサとの接続点よりも前記コネクタ側と反対側の位置との間に接続されており、前記抵抗素子は、前記高電位側経路上に設けられた第１抵抗素子と、前記低電位側経路上に設けられた第２抵抗素子と備える。
【００１７】
本発明は、第５の発明のような具体的な構成とすることができる。
【図面の簡単な説明】
【００１８】
【図１】電源システムの構成図。
【図２】各接続線の導通状態を説明する図。
【図３】各接続線の導通状態を説明する図。
【図４】第２実施形態に係る電源システムの一部を説明する図。
【発明を実施するための形態】
【００１９】
（第１実施形態）
以下、ハイブリッド自動車や電気自動車に搭載される電源システムの実施形態について図面を参照しつつ説明する。図１に示す電源システム１００は、組電池１０と、電池監視装置７０と、を備えている。
【００２０】
組電池１０は、直列接続された複数個ずつの電池セル１２を１ブロックとし、各ブロックが直列接続されることで構成されている。図１の構成では、組電池１０は電池ブロック１１ａ，１１ｂ，１１ｃを有し、各電池ブロック１１ａ〜１１ｃがワイヤ等により直列接続されている。例えば、組電池１０を構成する各電池セル１２はリチウムイオン二次電池により構成されている。本実施形態では、各電池ブロック１１ａ〜１１ｃが電池セル接続体に相当する。
【００２１】
電池監視装置７０は、組電池１０を構成する各電池セル１２のセル電圧や、各電池ブロック１１ａ〜１１ｃの端子間電圧を検出し、検出した電圧に基づいて電池セル１２や組電池１０の状態を監視する。電池監視装置７０は、コネクタ２０の各コネクタ端子を介して組電池１０に着脱可能に接続されている。
【００２２】
電池監視装置７０は、回路保護部４０、電圧検出ＩＣ５０ａ，５０ｂ，５０ｃ、制御部５４、及び絶縁部５３を備えている。
【００２３】
電圧検出ＩＣ５０ａ〜５０ｃは、組電池１０の電池ブロック１１ａ〜１１ｃ毎に対応して複数設けられており、各電池ブロック１１ａ〜１１ｃの端子間電圧や各電池セル１２のセル電圧を検出する。本実施形態では、電圧検出ＩＣ５０ａ，５０ｂ，５０ｃは、各電池セル１２の両端にそれぞれ接続された接続線３０を介して各電池セル１２に接続されている。各電池ブロック１１ａ〜１１ｃにおける正極端子１３に接続された接続線３０を正極接続線３０ａと称し、負極端子１４に接続された接続線３０を負極接続線３０ｂと称する。本実施形態では、正極端子１３は、電池ブロック１１ａ〜１１ｃにおいて、最も高電位の電池セル１２である高電位側セル１２ａの正極である。負極端子１４は、電池ブロック１１ａ〜１１ｃにおいて、最も低電位の電池セル１２である低電位側セル１２ｂの負極である。
【００２４】
回路保護部４０は、電圧検出ＩＣ５０ａ〜５０ｃを保護する回路であり、ヒューズ４１、およびツェナダイオード４２を備えている。ヒューズ４１は、各接続線３０に設けられており、所定電流値以上の電流が接続線３０に流れる場合に、オープン故障することにより各電池セル１２と電圧検出ＩＣ５０ａ〜５０ｃとの電気的接続を遮断する。また、ツェナダイオード４２は、各接続線３０間に接続され、電圧検出ＩＣ５０ａ〜５０ｃに印加される電圧を一定電圧に保持する。
【００２５】
制御部５４は、ＣＰＵ、ＲＯＭ、ＲＡＭ等からなるマイクロコンピュータ、およびその周辺機器で構成されており、ＲＯＭ等の記憶手段に記憶された制御プログラムに従って各種処理を実施する。本実施形態では、制御部５４は、各電圧検出ＩＣ５０ａ〜５０ｃの制御処理や組電池１０の電圧異常の判定処理を実行する。
【００２６】
絶縁部５３は、各電圧検出ＩＣ５０ａ〜５０ｃおよび制御部５４の間を絶縁した状態で、双方向に信号を伝達可能にする信号伝達手段であり、例えば、フォトカプラ等で構成されている。各電圧検出ＩＣ５０ａ〜５０ｃからは、絶縁部５３を介して組電池１０の電圧状態等を示す信号が制御部５４に出力される。
【００２７】
接続線３０間には、ノイズ除去用のコンデンサが設けられている。具体的には、各電池セル１２において、正極側及び負極側の各接続線３０を接続する第１バイパス線４３には、第１コンデンサ４５が設けられている。また、各電池ブロック１１ａ〜１１ｃにおける正極接続線３０ａと負極接続線３０ｂとを接続する第２バイパス線４４には、第２コンデンサ４６が設けられている。
【００２８】
電池監視装置７０がノイズ除去用のコンデンサ４５，４６を備えることにより、コネクタにより電池監視装置７０を組電池１０に接続する際に、第１，第２コンデンサ４５，４６に突入電流が流れる場合がある。また、突入電流に起因して、各接続線３０に高電圧が生じる場合があり、電池監視装置７０を劣化させる要因となる。そこで、このような突入電流を抑制することを目的に、全ての接続線３０に抵抗素子を設けることが考えられる。しかし、全ての接続線３０に抵抗素子を設けることにより、接続線３０の抵抗値が大きくなり、接続線３０に流れる電流量が過剰に抑制されることが懸念される。そのため、ヒューズ４１が適正に機能しなくなることが懸念される。また、接続線３０に追加した抵抗素子の分だけ電池監視装置７０を構成する基板の体格が増大してしまうことも懸念される。
【００２９】
ここで、コネクタ２０により電池監視装置７０が各電池ブロック１１ａ〜１１ｃに接続される際に、各接続線３０の導通順序が異なり、第２コンデンサ４６の端子間に印加される電圧が異なることが懸念される。ここで、各接続線３０の導通順序は、コネクタ２０の各コネクタ端子における物理的な接続順序に依って異なることが考えられる。これ以外にも、各コネクタ端子に繋がる接続線３０のインピーダンスに依っても異なることが考えられる。第２コンデンサ４６の端子間に印加される電圧が異なることにより、突入電流の大きさが異なる。具体的には、正極接続線３０ａ及び負極接続線３０ｂが最初に導通することにより、正極接続線３０ａと負極接続線３０ｂとを接続する第２バイパス線４４上の第２コンデンサ４６に電池ブロック１１ａ〜１１ｃから最も大きな電圧が印加される。その結果、突入電流が最も大きくなる。
【００３０】
本実施形態では、コネクタ２０により電池監視装置７０を組電池１０に接続する際に、第２コンデンサ４６に最も大きな電圧が印加される際の突入電流が流れる経路に、主抵抗素子６０が設けられている。具体的には、主抵抗素子６０は、正極接続線３０ａにおけるコネクタ２０側の端部から第２バイパス線４４との接続点までの経路である高電位側経路Ｌ１に設けられている。なお、負極接続線３０ｂにおけるコネクタ２０側の端部から第２バイパス線４４との接続点までの経路を低電位側経路Ｌ２と称す。
【００３１】
コネクタ２０により、電池監視装置７０が組電池１０に接続される際に、電池ブロック１１ａ〜１１ｃの高電位側セル１２ａにおいて負極側に接続された接続線３０と、低電位側セル１２ｂにおいて正極側に接続された接続線３０とが最初に導通する場合がある。この場合、突入電流が、主抵抗素子６０を経由することなく、接続線３０を流れる場合がある。具体的には、正極接続線３０ａにおいて、第１バイパス線４３との接続点と第２バイパス線４４との接続点との間の位置、及び負極接続線３０ｂにおいて第１バイパス線４３との接続点と第２バイパス線４４との接続点との間の位置を経由して、突入電流が流れることが懸念される。この場合、電池ブロック１１ａ〜１１ｃのうち、高電位側セル１２ａ及び低電位側セル１２ｂを除く他の電池セル１２からの電圧が第２バイパス線４４上の第２コンデンサ４６に印加されるため、第２バイパス線４４には、最も大きな突入電流ではないが、次に大きな突入電流が流れる。
【００３２】
そこで、本実施形態では、コネクタ２０により電池監視装置７０を組電池１０に接続する際に、電池ブロック１１ａ〜１１ｃから最大電圧の次に大きな電圧が印加される経路上に、副抵抗素子６１が設けられている。具体的には、副抵抗素子６１は、正極接続線３０ａにおいて第１バイパス線４３との接続点と第２バイパス線４４との接続点との間の位置に設けられている。
【００３３】
主抵抗素子６０及び副抵抗素子６１が、低電位側経路Ｌ２に設けられていると、いわゆるグランドバウンスにより電圧検出ＩＣ５０ａ〜５０ｃの基準電圧として用いられる負極接続線３０ｂの電圧が意図する値とならないことが懸念される。そこで、各抵抗素子６０，６１が高電位側経路Ｌ１に設けられことにより、基準電圧が意図とする値とならないことが防止され、電圧検出ＩＣ５０ａ〜５０ｃがセル電位を適正に検出することができる。なお、本実施形態では、主抵抗素子６０は、副抵抗素子６１よりも抵抗値が大きい。
【００３４】
次に、図２，図３を用いて、電池監視装置７０を組電池１０に接続する際の各接続線３０の導通順序と、各抵抗素子６０，６１により突入電流を抑制する機能とを説明する。図２，図３では、電源システム１００において、電池ブロック１１ａと、電圧検出ＩＣ５０ａとを図示し、電池ブロック１１ｂ，１１ｃと、電圧検出ＩＣ５０ｂ，５０ｃとの図示を省略している。また、各接続線３０のうち導通している接続線３０にはコネクタ端子を記載し、導通していない接続線３０にはコネクタ端子を記載していない。
【００３５】
図２では、電池監視装置７０をコネクタ２０により組電池１０に接続した際に、正極接続線３０ａと負極接続線３０ｂとが最初に導通する場合を示している。この場合、高電位側セル１２ａの正極側に接続されたコネクタ端子２１から、高電位側経路Ｌ１、第２バイパス線４４、低電位側経路Ｌ２を経由して、低電位側セル１２ｂの負極側に接続されたコネクタ端子２２に至る電流経路Ｃ１が形成され、この電流経路Ｃ１に突入電流が流れる。このとき、コネクタ２０の各端子２１，２２間に生じる電圧は、電池ブロック１１ａを構成する全ての電池セル１２のセル電圧の総和となるため、この電流経路Ｃ１を流れる突入電流は最も大きくなる。
【００３６】
本実施形態では、電流経路Ｃ１に含まれる高電位側経路Ｌ１に主抵抗素子６０が設けられており、この主抵抗素子６０による電圧降下により、第２バイパス線４４の第２コンデンサ４６に印加される電圧が抑制される。そのため、電流経路Ｃ１に流れる突入電流が抑制される。
【００３７】
図３では、電池監視装置７０を組電池１０に接続した際に、高電位側セル１２ａにおいて負極側の接続線３０ｃと、低電位側セル１２ｂにおいて負極側の接続線である負極接続線３０ｂとが最初に導通する場合を示している。この場合、高電位側セル１２ａの負極側に接続されたコネクタ端子２３から、接続線３０ｃ、第１コンデンサ４５ａ，第２コンデンサ４６、及び低電位側経路Ｌ２を経由して、低電位側セル１２ｂの負極側に接続されたコネクタ端子２２に至る電流経路Ｃ２が形成される。そして、この電流経路Ｃ２に突入電流が流れる。ここで、電流経路Ｃ２は、高電位側経路Ｌ１を含まないため、突入電流は主抵抗素子６０に流れない。また、コネクタ端子２２，２３間に生じる電圧は、電池ブロック１１ａを構成する全ての電池セル１２のうち、高電位側セル１２ａを除く各電池セル１２のセル電圧の総和となる。そのため、電流経路Ｃ２を流れる突入電流は、電流経路Ｃ１を流れる突入電流の次に大きな値となる。なお、高電位側セル１２ａにおいて負極側の接続線３０ｃと、低電位側セル１２ｂにおいて正極側の接続線とが最初に導通する場合においても、突入電流が主抵抗素子６０を介することなく電池監視装置７０を流れるおそれがある。
【００３８】
本実施形態では、正極接続線３０ａにおける第１バイパス線４３との接続点と第２バイパス線４４との接続点との間の位置に、副抵抗素子６１が設けられている。そのため、この副抵抗素子６１による電圧降下により、第２バイパス線４４の第２コンデンサ４６に印加される電圧が抑制される。そのため、電流経路Ｃ２に流れる突入電流が抑制される。
【００３９】
以上説明した本実施形態では、以下の効果を奏することができる。
【００４０】
・電池監視装置７０は、正極接続線３０ａのうちコネクタ２０側の端部から第２バイパス線４４との接続点までの経路である高電位側経路Ｌ１に主抵抗素子６０が設けられている。この場合、電池監視装置７０をコネクタ２０により組電池１０に接続する際に、主抵抗素子６０により第２コンデンサ４６に印加される電圧が抑制され、突入電流の最大値を抑制することができる。また、第２コンデンサ４６に最も大きな電圧が印加される際の突入電流が流れる経路にのみ主抵抗素子６０が設けられている。そのため、全ての接続線３０に抵抗素子を設ける構成よりも、電池監視装置７０を構成する基板の体格の増大を抑制できる。その結果、コネクタ２０により電池監視装置７０を組電池１０に接続する際に生じる突入電流を好適に抑制することができる。
【００４１】
・主抵抗素子６０は、高電位側経路Ｌ１に設けられている。この場合、主抵抗素子６０と第２コンデンサ４６とにより直列回路が形成されることが防止されるため、第２コンデンサ４６を適正に機能させることができる。
【００４２】
・正極接続線３０ａにおいて第１バイパス線４３との接続点と第２バイパス線４４との接続点との間の位置に副抵抗素子６１が設けられている。この場合、コネクタ２０により電池監視装置７０を組電池１０に接続する毎に、突入電流が流れる経路が異なる場合でも、突入電流を好適に抑制することができる。
【００４３】
・主抵抗素子６０及び副抵抗素子６１は、高電位側経路Ｌ１及び低電位側経路Ｌ２のうち、高電位側経路Ｌ１に設けられている。この場合、負極接続線３０ｂの基準電圧が意図とする値とならないことが防止され、電圧検出ＩＣ５０ａ〜５０ｃがセル電位を適正に検出することができる。
【００４４】
（第１実施形態の変形例）
・主抵抗素子６０が高電位側経路Ｌ１に設けられる構成に換えて、低電位側経路Ｌ２に設けられる構成としても良い。この場合において、副抵抗素子６１が、負極接続線３０ｂにおいて、第１バイパス線４３と第２バイパス線４４との間の位置に設けられる構成としても良い。
【００４５】
・主抵抗素子６０が高電位側経路Ｌ１に設けられる構成に換えて、主抵抗素子６０が第２バイパス線４４に設けられる構成としてもよい。
【００４６】
・主抵抗素子６０が、高電位側経路Ｌ１，低電位側経路Ｌ２及び第２バイパス線４４のそれぞれに設けられる構成としても良い。
【００４７】
・副抵抗素子６１が正極接続線３０ａに設けられる構成に換えて、副抵抗素子６１が負極接続線３０ｂに設けられる構成としても良い。
【００４８】
（第２実施形態）
第２実施形態では、第１実施形態と異なる構成を主に説明する。なお、第２実施形態において第１実施形態と同一の箇所には同一の符号を付し、その説明は繰り返さない。
【００４９】
図４は、本実施形態に係る各抵抗素子の実装位置を説明する図である。なお、図４では、電池ブロック１１ａ及び電圧検出ＩＣ５０ａを図示しており、電池ブロック１１ｂ，１１ｃ及び電圧検出ＩＣ５０ｂ，５０ｃの図示を省略している。
【００５０】
本実施形態では、第２バイパス線１４４は、正極接続線３０ａにおいて第１バイパス線１４３との接続点よりもコネクタ２０側と反対側の位置と、負極接続線３０ｂにおいて第１バイパス線１４３との接続点よりもコネクタ２０側と反対側の位置との間に接続されている。第１バイパス線１４３には、第１コンデンサ１４５が設けられている。また、第２バイパス線１４４には、第２コンデンサ１４６が設けられている。
【００５１】
正極接続線３０ａのうちコネクタ側の端部から第２バイパス線１４４との接続点までの経路である高電位側経路には第１抵抗素子６２が設けられている。また、負極接続線３０ｂのうちコネクタ側の端部から第２バイパス線１４４との接続点までの経路である低電位側経路には第２抵抗素子６３が設けられている。
【００５２】
本実施形態では、コネクタ２０により電池監視装置７０を組電池１０に接続する際に、正極接続線３０ａ及び負極接続線３０ｂが最初に導通する場合がある。この場合、高電位側セル１２ａの正極側に接続されたコネクタ端子から、高電位側経路、第２バイパス線１４４、低電位側経路を経由して、低電位側セル１２ｂの負極側に接続されたコネクタ端子に至る電流経路が形成され、この電流経路に突入電流が流れる。
【００５３】
また、コネクタ２０により電池監視装置７０を組電池１０に接続する際に、接続線３０ｃと接続線３０ｄとが最初に導通する場合がある。この場合、高電位側セル１２ａの負極側に接続されたコネクタ端子から、接続線３０ｃ、第１コンデンサ１４５ａ，第２コンデンサ１４６、及び第１コンデンサ１４５ｂを経由して、低電位側セル１２ｂの正極側に接続されたコネクタ端子に至る電流経路が形成される。そして、この電流経路に突入電流が流れる。
【００５４】
本実施形態では、いずれの電流経路が形成される場合においても、電流経路上の位置に第１，第２抵抗素子６２，６３が設けられており、この第１，第２抵抗素子６２，６３による電圧降下により、第２コンデンサ１４６に印加される電圧が抑制される。そのため、突入電流が抑制される。
【００５５】
以上説明した本実施形態では、第１実施形態と同様の効果を奏する。
【００５６】
（他の実施形態）
・電圧検出ＩＣを、電池ブロック１１ａ〜１１ｃ毎に設ける構成とすることに換えて、組電池１０に対して１つの電圧検出ＩＣのみを備える構成としても良い。この場合、組電池１０が電池セル接続体に相当する。
【００５７】
・電池監視装置７０は、回路保護部４０を備えていなくとも良い。
【符号の説明】
【００５８】
１０…組電池、１１ａ〜１１ｃ…電池ブロック、１２…電池セル、２０…コネクタ、３０…接続線、３０ａ…正極接続線、３０ｂ…負極接続線、４３…第１バイパス線、４４…第２バイパス線、４５…第１コンデンサ、４６…第２コンデンサ、６０…主抵抗素子。
【図１】
2020010562.tif 000003
【図２】
2020010562.tif 000004
【図３】
2020010562.tif 000005
【図４】
2020010562.tif 000006